(57)【要約】【課題】電子アルバム作成において、写真等の読取り物が傾いた状態で読み取られることを防止できるようにする。【解決手段】写真台に回転台を設け（又は画像読取り部を回転可能にし）、写真台上に載せた写真Ｐｂ等の読取り物を画像読取り部で読み取ると共に、液晶表示部１４の画像読取り画面１４Ｂには、読取り物の傾きを判断するための確認用マーカーＭ１を表示し、このマーカーＭ１を基準にして読取り物に傾きがあると判断した場合は、回転台１１Ｒを回転させ、真っ直ぐの状態として再度読み取る。読み取られた写真Ｐｂ等の素材画像Ｉｂは、保存されると共に液晶表示部１４へ表示され、この液晶表示部１４を見ながら操作部１２の操作で各種の素材画像を任意に配置してアルバム画像を作成する。【選択図】図１
2006217291.tif 000002
【特許請求の範囲】
【請求項１】
写真及び各種カードを含む読取り物を載せる写真台と、
この写真台に載せた読取り物を電子的に素材画像として読み取る画像読取り部と、
上記画像読取り部にて得られた素材画像を表示すると共に、この素材画像の組合せからなるアルバム画像を表示する表示部と、
この表示部に、読取り物が傾きのない状態で読み取られているかを確認するための確認用マーカーを表示するためのマーカー表示回路と、
このマーカー表示回路によるマーカー表示制御、上記画像読取り部での読取り制御及び上記表示部上の画像を見ながら行うアルバム画像の編集制御を実行する制御部と、を含んでなる電子アルバム作成装置。
【請求項２】
上記写真台に載せられた読取り物の傾きを直すために、上記画像読取り部又は上記写真台を回転させる回転機構部を設けたことを特徴とする請求項１記載の電子アルバム作成装置。
【発明の詳細な説明】
【技術分野】
【０００１】
本発明は電子アルバム作成装置、特に写真や手書きカード等の読取り物を傾きのない状態で読み取り、これらの写真やカードの画像情報に基づいて電子アルバムを自由に編集・作成する新しい装置の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
しかしながら、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
そこで、本願では、写真やカード等の画像を読取り部（装置）で読み取り、これらの読取り画像から簡単に電子アルバムを作成する新しい装置を提案するものであるが、上記読取り部で写真、カードを読み取る際に、これら写真等を正規の状態（外周縦横線を真っ直ぐにした位置）に置くことができずに僅かに傾き、画像が傾いて読み取られる場合があるという問題がある。このような場合、傾いた画像を専用のソフト等で回転修正することも考えられるが、この電子データ処理による画像の回転修正は煩雑であり、しかも画質が低下するという不都合もある。
【０００５】
本発明は上記問題点に鑑みてなされたものであり、その目的は、パソコンの取扱いが苦手な場合又はパソコン等の知識を習得する時間がない場合でも、電子アルバムを簡単かつ短時間に作成することが可能となり、この電子アルバム作成においては、写真等の読取り物が傾いた状態で読み取られることを防止できる電子アルバム作成装置を提供することにある。
【課題を解決するための手段】
【０００６】
上記目的を達成するために、請求項１の発明に係る電子アルバム作成装置は、写真及び各種カード（タイトルカード、手書きカード等）を含む読取り物を載せる写真台と、この写真台に載せた読取り物を電子的に素材画像として読み取る画像読取り部（例えばＣＣＤを用いたもの）と、上記画像読取り部にて得られた素材画像を表示すると共に、この素材画像の組合せからなるアルバム画像を表示する表示部と、この表示部に、読取り物が傾きのない状態で読み取られているかを確認するための確認用マーカーを表示するためのマーカー表示回路と、このマーカー表示回路によるマーカー表示制御、上記画像読取り部での読取り制御及び上記表示部上の画像を見ながら行うアルバム画像の編集制御を実行する制御部と、を含んでなることを特徴とする。
請求項２に係る発明は、上記写真台に載せられた読取り物の傾きを直すために、上記画像読取り部又は上記写真台を回転させる回転機構部を設けたことを特徴とする。
【０００７】
上記の構成によれば、読取り時にまず写真台上の読取り物（写真等）が画像読取り部で読み取られ、その画像が表示部の画面上に表示される。そのとき、画面上には、例えば左下で直交する水平線と垂直線からなる確認用マーカーが読取り画像に重ねる形で表示されており、この確認用マーカーにて画像の傾きを判断した操作者は読取り物の傾きを直すことができる。その後、再度、読取り操作をすることにより傾きのない読取り物の画像が得られる。
請求項２の構成によれば、回転機構が設けられた画像読取り部又は写真台を手動で回転させることにより、読取り物を正規の位置（写真等の外周縦横のラインが垂直、水平に置かれる真っ直ぐな位置）に配置し、画像の傾きを容易に修正することができる。
【０００８】
このようにして読み取られた写真、カード（タイトルカード、手書きカード等）の画像は、素材画像として内部の記憶部へ格納される。一方、上記表示部には、アルバム編集の際に、画像読取り部で読み取られた写真、カードの素材画像を表示する素材画面（画面領域）とアルバム画像を表示するアルバム画面（画面領域）が設定されており、この素材画面の中から選択した素材画像を、１頁毎のアルバム画面内に任意な配置で貼り付けることにより、アルバム画像が作成され、保存される。そして、この保存されたアルバム画像は、タイトルカードの認識等によって閲覧することが可能となる。
【発明の効果】
【０００９】
本発明の電子アルバム作成装置によれば、パソコンの取扱いが苦手な場合又はパソコン等の知識を習得する時間がない場合でも、電子アルバムを簡単かつ短時間に作成することが可能になり、このような電子アルバム作成においては、写真等の読取り物が傾いた状態で読み取られることを防止できると共に、画像の傾きを電子データ処理で修正をする場合の画質の低下が生じることもないという利点がある。
【発明を実施するための最良の形態】
【００１０】
図２及び図３には、実施例に係る電子アルバム作成装置の主な構成が示されており、図示されるように、この装置は、読取り物であるタイトルカードＰａ、写真Ｐｂ及び手書きカードＰｃを載せるために平面台とされた写真台（本体水平部）１１、この写真台１１の手前側に設けられた操作部１２、写真Ｐｂ等の画像を読み取る読取り部（画像読取り部）１３、液晶ディスプレイからなる液晶表示部１４及び照明部１５を備えている。そして、図３に示されるように、上記写真台１１には、回転軸１６ａが軸受け部１６ｂに軸支された回転台（円板）１１Ｒが設けられており、この回転台１１Ｒは、写真台１１の上面と同一面内において時計方向及び反時計方向へ回転する。
【００１１】
上記読取り部１３は、図３のように、対物レンズ（光学系）１３ａ及び固体撮像素子であるＣＣＤ１３ｂ（エリアセンサ方式、ラインセンサ方式のいずれでもよい)から構成されており、上記対物レンズ１３ａにはズームレンズを組み込み光学的拡大が可能となるようにしてもよい。なお、実施例の読取り部１３は、写真Ｐｂ等を斜めから読み取っているが、この読取り部１３を写真台１１の真上に配置し、写真Ｐｂ等を真上から読み取ることもできる。また、図２に示されるように、上記写真台１１手前側の操作部１２は、上下左右移動キー１２ａ、入力キー１２ｂ、終了キー１２ｃ、剥し（又はやり直し若しくはキャンセル）キー１２ｄ、貼付け（又は確定）キー１２ｅを有しており、これらのキー１２ａ〜１２ｅによって編集のための操作が行われる。
【００１２】
図４に示されるように、上記ＣＣＤ１３ｂには読み取った画像の出力処理等を行う読取り処理回路１３ｃが接続されると共に、上記操作部１２の操作に基づく画像読取り及び編集のための動作制御や液晶表示部１４での表示制御、或いは後述する確認用マーカーの表示制御等を実行する制御部（マイコン等）１８が設けられる。また、上記読取り処理部１３ｃには、読み取られたタイトルカードＰａに付されているバーコードＢを検出するためのバーコード検出部１９が接続される。即ち、実施例では、アルバム画像にタイトルを付けかつアルバム画像の管理情報として利用するために、図２に示されるように、上部に記載欄（白紙欄）を設けかつ下部等にバーコードＢ（２次元コード等の他の光学的識別コードでもよい）を付けたタイトルカードＰａを用いており、このバーコードＢは、タイトルカードＰａであることの情報を含む各カードの個別情報（識別情報）として利用され、上部の記載欄には手書き等で任意のタイトルを書き込むようになっている。
【００１３】
そして、タイトルカードＰａのバーコードＢがバーコード検出部１９で検出されると、このカードがタイトルカードＰａであることが認識され、このカードＰａに記載されたタイトル画像Ｉａ［図６（Ａ）］が自動的に読み取られると共に、そのタイトルカード個別情報が一連のアルバム画像と関連付けられて保存され、個々のアルバム画像を識別し抽出するための管理情報として用いられる。実施例では、タイトルフォルダが作成され、このフォルダ内に素材画像等が格納される。なお、上記バーコードＢ等の光学的識別コードの代わりに、ＩＣタグ（ＩＣチップ）等の電気的識別素子を用いるようにしてもよい。
【００１４】
また、図４に示されるように、当該装置には、写真Ｐｂ、手書きカードＰｃの素材画像Ｉｂ，Ｉｃ等やアルバム画像を記憶する内部の記憶媒体としてのハードディスク２０ｈを有し、タイトル画像Ｉａ、素材画像Ｉｂ，Ｉｃを頁単位で任意に貼り付けたアルバム画像を形成するための画像処理部２０が配置される。
【００１５】
更に、実施例では、液晶表示部１４の前段にマーカー表示処理回路２１を設けており、このマーカー表示処理回路２１は、画像読取り時に図１に示されるように、読取り物の傾きを確認するため、例えば１本ずつの水平線と垂直線が画面の左下で直交する交差線の確認用マーカーＭ１を形成し、この確認用マーカーＭ１を液晶表示部１４の画像読取り画面（領域）１４Ｂに表示させる。この確認用マーカーＭ１は、上記上下左右移動キー１２ａ等で画面上の表示位置を移動できるようになっている。
【００１６】
図５には、上記確認用マーカーの他の例が示されており、図５（Ａ）に示されるように、上記マーカーＭ１と共に、異なる写真サイズに合わせる形で他の確認用マーカーＭ２（更にマーカーＭ３）を形成し表示してもよい。また、図５（Ｂ）に示されるように、グリッド（格子）模様Ｍｇを形成し表示するようにしてもよい。
【００１７】
図６（Ａ）には、上記液晶表示部１４の表示状態が示されており、この液晶表示部１４には、小さなメニュー画面（画面領域）１４Ａが設けられており、アルバム編集時には、素材画面（画面領域）１４Ｃ及びアルバム画面（画面領域）１４Ｄが設定・表示される。即ち、上記メニュー画面１４Ａには、図６（Ｂ）の拡大図に示されるように、例えば画像読取りを行うための“画像読取”、アルバム画像編集を行うための“アルバム編集”、作成された電子アルバムの閲覧をするための“アルバム閲覧”等のメニューが表示されており、これらの各メニューはそのいずれかを選択して実行することができる。
【００１８】
そして、上記メニューの“アルバム編集”を選択したときは、図６（Ａ）に示されるように、液晶表示部１４の右側に、読み込んだ写真Ｐｂの画像Ｉｂや手書きカードＰｃの画像Ｉｃを表示する素材画面１４Ｃが表示され、その左側に、編集完成すべきアルバム画像を表示するアルバム画面１４Ｄが表示される。このアルバム画面１４Ｄは、電子アルバムの１頁の領域を表示しており、この画面１４Ｄで設定・作成されたレイアウトでアルバム画像が頁毎に保存される。
【００１９】
一方、上記メニューの“画像読取”を選択したときは、例えば上述の図１の画像読取り画面１４Ｂが上記アルバム画面１４Ｄの代わりに表示され、読み込んだ画像（Ｉａ，Ｉｂ，Ｉｃ）は素材画像として右側の素材画面１４Ｃに表示され、この素材画面１４Ｃで読み込んだ画像を確認することができる。更に、写真台（本体水平部）１１の前面側に、ＤＶＤ駆動部、メディア駆動部等を設け、外部の記録装置との間でデータの交換を行うことができるようになっている。
【００２０】
実施例は以上の構成からなり、以下にその作用を説明する。まず、図１及び図６（Ｂ）に示されるメニューの“画像読取”を選択し、図２の写真台１１（回転台１１Ｒ）の上にタイトルカードＰａ、写真Ｐｂ又は手書きカードＰｃを置いて入力キー１２ｂを押すことにより、読取り部１３によるタイトル画像Ｉａ、写真画像Ｉｂ又は手書き画像Ｉｃの読取りが行われる。図１に示されるように、例えば写真Ｐｂを読み取った場合で考えると、液晶表示部１４には、写真画像Ｉｂと共に確認用マーカーＭ１が表示され、この確認用マーカーＭ１によって画像Ｉｂの傾きが判断できることになる。そして、図１及び図２の実線のように、画像Ｉｂ（写真Ｐｂ）が傾いている場合には、回転台１１Ｒを例えば時計方向へ手動回転させ、再度入力キー１２ｂを押すことにより、点線のように、真っ直ぐの位置（正規位置）に直した画像Ｉｂ（写真Ｐｂ）を得ることができる。そして、貼付け（確定）キー１２ｅを押すことにより、傾きが修正された画像Ｉｂが最終的にハードディスク２０ｈに保存される。
【００２１】
このような写真Ｐｂの読取りは、複数枚につき繰り返し行われ、またタイトルカードＰａ、手書きカードＰｃの読取りが行われることになり、これらの画像読取りにおいても、同様にそれらの傾きが確認用マーカーＭ１で判断されることにより、各画像が正規の真っ直ぐの状態で読み取られる。このようにして読み取られた各画像は、素材画像としてハードディスク２０ｈに保存されると共に、図６（Ａ）で示した素材画面１４Ｃに表示される。その後、終了キー１２ｃを押すと画像読取りは終了し、初期画面等に戻ることになる。
【００２２】
また、上記タイトルカードＰａの読取りの際には、それに付されているバーコードＢが同時に読み取られ、これをバーコード検出部１９で検出することにより、タイトルカード個別情報が特定され、このタイトルカード個別情報に基づいてタイトルフォルダがハードディスク２０ｈに作成される。このタイトルフォルダ内に、タイトル画像を含む素材画像が保存される。
【００２３】
次に、図６（Ｂ）のメニューから“アルバム編集”を選択すると、図６（Ａ）の素材画面１４Ｃに、読み取った素材画像Ｉｂ，Ｉｃが表示されており、この状態でアルバム画面１４Ｄへの編集が可能となる。即ち、アルバム画面１４Ｄには、既に読み取ったタイトル画像Ｉａの“タイトル”が表示されており、素材画面１４Ｃから写真Ｐｂの画像Ｉｂや手書きカードＰｃの“手書き”画像Ｉｃを上下左右移動キー１２ａで選択し、貼付けキー１２ｅを押すと、それらの画像が順にアルバム画面１４Ｄ内へ表示される。このとき、剥しキー１２ｄを使えば、一旦貼り付けた画像をアルバム画面１４Ｄ内から剥がす（取り除く）ことができる。その後、操作部１２の終了キー１２ｃを押すと、上記素材画像（Ｉｂ，Ｉｃ）を貼り付けたアルバム画像がハードディスク２０ｈのタイトルフォルダ内へ格納される。
【００２４】
また、当該装置では、図６（Ｂ）のメニューの“アルバム閲覧”を選択することにより、保存されているアルバム画像を液晶表示部１４にて閲覧することができる。即ち、アルバム閲覧を選択した後、上記のタイトルカードを写真台１１（回転台１１Ｒ）に載せ、入力キー１２ｂを押すと、タイトルカードＰｂのバーコードＢが読み取られることによって、該当するアルバム画像がハードディスク２０ｈから読み出され、このアルバム画像が液晶表示部１４へ例えば２頁を開いた状態で表示される。そして、操作部１２等によって頁めくり操作をすれば、アルバム画像が順に表示される。
【００２５】
上記各実施例では、写真台１１Ｒを回転させる写真台回転機構部を設ける場合を説明したが、この代わりに、対物レンズ１３ａ及びＣＣＤ１３ｂを一体とした画像読取り部を回転させる読取り部回転機構部を用いてもよい。また、これらの回転機構部を設けず、操作者が手で写真Ｐｂ等の読取り物を動かしてその傾きを直すようにすることもできる。
【図面の簡単な説明】
【００２６】
【図１】本発明の実施例装置における画像読取り時の液晶表示部の表示状態を示す図である。
【図２】実施例に係る電子アルバム作成装置の構成を示す上面図である。
【図３】実施例に係る電子アルバム作成装置の内部構成を示す側面図である。
【図４】実施例装置の回路部を含む全体構成を示すブロック図である。
【図５】実施例の確認用マーカーの他の表示例を示す図である。
【図６】実施例装置の液晶表示部で設定されるメニュー画面、アルバム編集時の素材画面及びアルバム画面の構成を示す図［図（Ａ）］、並びにメニュー画面の拡大図［図（Ｂ）］である。
【符号の説明】
【００２７】
１１…写真台、              １１Ｒ…回転台、
１２…操作部、              １３…読取り部、
１３ａ…対物レンズ、        １３ｂ…ＣＣＤ、
１３ｃ…読取り処理部、      １４…液晶表示部、
１８…制御部、              ２０…画像処理部、
２０ｈ…ハードディスク、    ２２…マーカー表示処理回路、
Ｐａ…タイトルカード、      Ｐｂ…写真、
Ｐｃ…手書きカード。
【図１】
2006217291.tif 000003
【図２】
2006217291.tif 000004
【図３】
2006217291.tif 000005
【図５】
2006217291.tif 000006
【図６】
2006217291.tif 000007
【図４】
2006217291.tif 000008